(57)【要約】      （修正有）【課題】使用者が意識して目を動かすことを必要とせずに眼精疲労の回復に寄与する眼精疲労回復装置を提供する。【解決手段】使用者の眼を覆うゴーグル形状であって、前記使用者の眼を覆った内部空間を遮光する遮眼部１、フレーム部４と遮光スカート部５よりなる遮光部と、前記内部空間を照明する照明部と、前記照明部の点灯／消灯を行うスイッチ１０と、使用者の視界内で外部の光が入射可能なピンホール２と、使用者の視界内で使用者自身を写す鏡面部とを備えて眼精疲労回復装置１００を構成する。【選択図】図１
0003168760.tif 000002
【実用新案登録請求の範囲】
【請求項１】
使用者の眼を覆うゴーグル形状であって、前記使用者の眼を覆った内部空間を遮光する遮光部と、前記内部空間を照明する照明部と、前記照明部の点灯／消灯を行うスイッチと、使用者の視界内で外部の光が入射可能なピンホールと、使用者の視界内で使用者自身を写す鏡面部とを備えたことを特徴とする眼精疲労回復装置。
【請求項２】
前記内部空間に気体を注入可能なバルブをさらに設けたことを特徴とする請求項１に記載の眼精疲労回復装置。
【請求項３】
前記内部空間を使用者の両眼のそれぞれの領域に区切って遮光する仕切りをさらに設けたことを特徴とする請求項１または２に記載の眼精疲労回復装置。
【請求項４】
前記仕切りが、区切った両領域の間の通気を確保する通気孔をさらに設けたことを特徴とする請求項３に記載の眼精疲労回復装置。
【請求項５】
使用者の顔面に装着する際に固定するストラップ、および前記ストラップの固定と長さ調節を行うアジャストレバーをさらに設けたことを特徴とする請求項１ないし４のうちのいずれか１項に記載の眼精疲労回復装置。
【考案の詳細な説明】
【技術分野】
【０００１】
本考案は眼精疲労回復装置に関する。
【背景技術】
【０００２】
従来、長時間の視覚表示端末(ＶＤＴ)作業などによる疲れ眼で眼がかすんだり、物がぼやけて見えた場合は、瞼を閉じて眼を休めることで瞳孔を開いたり、遠方を見て毛様体筋を弛緩させ水晶体を薄くすることで筋の緊張を和らげることが推奨されている。さらに効率的に視力を回復させるには暗所で瞳孔を開き遠方を見ることで毛様体筋を弛緩させることが有効だが昼間にこのような条件を即座に作ることは困難であり、これを補助する装置が開発されている。
【０００３】
例えば、特許文献１では、眼鏡の固定レンズに複数のピンホールを設けるとともにレンズの外周のフレームに複数の発光素子を設けた視力訓練装置を開示している。
【０００４】
この特許文献１に記載の視力訓練装置によれば、使用者がピンホールを通して遠方を見ることにより眼筋の遠近トレーニングを行い、また、複数の発光素子を順次発光させ、この発光を使用者が目で追うことにより眼筋のトレーニングを行うことができるとしている。
【先行技術文献】
【特許文献】
【０００５】
【特許文献１】特開平１１−５６９４２号公報
【考案の概要】
【考案が解決しようとする課題】
【０００６】
ところが、特許文献１に記載のような従来の視力訓練装置では、眼鏡と眼の間が開いており外部の明るさにより瞳孔を最大限に散瞳することが出来ず、また、焦点はピンホールを通して見る点までの距離に固定してしまう。さらに使用者が自分で積極的に目を動かす動作を要求するものであり、眼を動かすことで眼が回ったり疲れや苦痛が生じ、飽きを招き易く面倒に思う。以上のように、この装置では視力を司る毛様体筋や瞳孔を散縮する筋を積極的に動かすには至っておらず、継続して視力訓練装置を使用することが困難であるという問題があった。
【０００７】
本考案は上記の点にかんがみてなされたもので、使用者が意識して目を動かすことを必要とせずに眼精疲労の回復に寄与する眼精疲労回復装置を提供することを目的とする。
【課題を解決するための手段】
【０００８】
本考案は上記の目的を達成するために、使用者の眼を覆うゴーグル形状であって、前記使用者の眼を覆った内部空間を遮光する遮光部と、前記内部空間を照明する照明部と、前記照明部の点灯／消灯を行うスイッチと、使用者の視界内で外部の光が入射可能なピンホールと、使用者の視界内で使用者自身を写す鏡面部とを備えたことを特徴とする。
【０００９】
また、本考案は、前記内部空間に気体を注入可能なバルブをさらに設けたことを特徴とする。
【００１０】
また、本考案は、前記内部空間を使用者の両眼のそれぞれの領域に区切って遮光する仕切りをさらに設けたことを特徴とする。
【００１１】
また、本考案は、前記仕切りが、区切った両領域の間の通気を確保する通気孔をさらに設けたことを特徴とする。
【００１２】
また、本考案は、使用者の顔面に装着する際に固定するストラップ、および前記ストラップの固定と長さ調節を行うアジャストレバーをさらに設けたことを特徴とする。
【考案の効果】
【００１３】
本考案によれば、使用者が意識して目を動かすことを必要とせずに眼精疲労の回復に寄与する眼精疲労回復装置を提供することができる。
【００１４】
本考案によれば、使用者は、眼精疲労回復装置を装着するのみでよく、特に意識して目を動かしたりする必要がないので、面倒に思うことが少なく、視力訓練装置を継続して使用し、より高い疲労回復効果を得ることができる。
【図面の簡単な説明】
【００１５】
【図１】本考案による眼精疲労回復装置の一実施の形態の外観を示す斜視図である。
【図２】図１に示した眼精疲労回復装置１００を示す図であって、（ａ）は遮眼部１の方向から見た正面図であり、（ｂ）は左側面図である。
【図３】図２（ａ）のＡ−Ａ断面図である。
【図４】右照明３−１や左照明３−２に電源供給する回路の回路図である。
【考案を実施するための形態】
【００１６】
以下、本考案の実施の形態を 図面を参照して詳しく説明する。
【００１７】
本考案の目的、作用、効果、そのほかの目的、特徴および動作上の利点が、好適な実施の形態の説明によって明確になるであろう。
【００１８】
参考としてここに開示される実施の形態は、様々な実施可能な例の中から当業者の理解を助けるために最も好適な実施の形態を選定して提示したものに過ぎず、本考案の技術的思想が必ずしもこの実施の形態に限定あるいは制限されるものではない。本考案の技術的思想から逸脱することなく、様々な変化、付加および変更が可能なのは勿論、均等な他の実施も可能であり、これらも本考案に含まれることを明らかにしておく。
【００１９】
図１は、本考案による眼精疲労回復装置の一実施の形態の外観を示す斜視図である。
【００２０】
本実施の形態の眼精疲労回復装置１００は、使用者の眼を覆うゴーグルの形状をしており、ゴーグルの両眼に対するレンズ位置には光を遮る遮眼部１を設けている。この２つの遮眼部１のそれぞれにはそれぞれのほぼ中央にピンホール２を設けており、この２つのピンホール２からの光は、眼精疲労回復装置１００の使用者の両眼のそれぞれに達する。なお、ピンホール２は複数設けても良い。このピンホール２は、直径１ｍｍ程度の小さな透明部であり、光は通すが気体等は通すことがない。遮眼部１の使用者側の面には鏡面処理を施してある。例えば遮眼部１の使用者側の面にアルミや銀等の金属を蒸着したり、またはこれらの箔を貼付したり、鏡を貼り付けたりすること、あるいは鏡面色に着色することによって、光を反射する鏡面処理とすることができる。
【００２１】
遮眼部１はその周囲をフレーム部４に覆われて支えられる。フレーム部４には長さ調節用のアジャストレバー９を介して輪を形成するようにストラップ８が接続され、フレーム部４とストラップ８との間に使用者が顔を入れて眼精疲労回復装置１００を装着する。また、フレーム部４には、装着時に使用者の顔に密着して、眼精疲労回復装置１００内への光の進入を防ぐ遮光スカート部５を設けている。
【００２２】
また、遮光スカート部５が使用者の顔に密着することによって、眼精疲労回復装置１００内はほぼ密閉され、内部の気体は保持される。遮光スカート部５にはバルブ７を設けており、眼精疲労回復装置１００内に例えば気体を注入可能にしてある。例えば酸素を注入すれば、使用者の眼球に効率よく酸素を供給することが可能となる。
【００２３】
図２は、図１に示した眼精疲労回復装置１００を示す図であって、（ａ）は遮眼部１の方向から見た正面図であり、（ｂ）は左側面図である。なお、図２（ａ）では、内部が見えるように、向かって左側の遮眼部１を取り外した状態を示している。
【００２４】
図３は、図２（ａ）のＡ−Ａ断面図である。すなわち、図３は、眼精疲労回復装置１００の平面図であって、向かって右側の遮眼部１の近傍については断面図で示している。
【００２５】
眼精疲労回復装置１００内部の空間（すなわち、遮眼部１、フレーム部４、遮光スカート部５および使用者の顔面で形成される空間であり、この空間が使用者の目を覆う空間であって遮眼部１、フレーム部４、遮光スカート部５が遮光部に相当する）は、使用者の鼻の位置に設けた鼻梁部仕切り６によって区切られており、使用者の右眼が収まる空間には右照明３−１を設け、左眼が収まる空間には左照明３−２を設けている。鼻梁部仕切り６は両照明の光が他方の空間に侵入するのを防ぐ。この鼻梁部仕切り６には微小な貫通孔である通気孔６−１を設けており、バルブ７を介して注入された気体が、通気孔６−１を介して両空間にいきわたるように構成している。
【００２６】
遮光スカート部５には、スイッチ１０、フレーム部４にスイッチ１１−１および１１−２を設けている。このスイッチ１０、１１−１および１１−２は、右照明３−１や左照明３−２の消灯／点灯を行う。この照明の回路図を図４に示す。
【００２７】
図４は、右照明３−１や左照明３−２に電源供給する回路の回路図である。
【００２８】
右照明３−１や左照明３−２は、ＬＥＤ（発光ダイオード）やその他のいかなる発光素子のいずれであっても、また複数でもかまわない。
【００２９】
本実施の形態では、電源であるバッテリ１２に対して、右照明３−１と左照明３−２とを並列にして接続している。バッテリ１２は、電池やそのほかいかなる電源であってもよい。本実施の形態では、バッテリ１２は、眼精疲労回復装置１００に内蔵され、たとえば鼻梁部仕切り６に収容するようにしてもよい。バッテリ１２は外部電源としてもよい。
【００３０】
なお、本実施の形態では、スイッチ１０、１１−１および１１−２を、使用者が操作可能なスイッチとして、スイッチ１０を遮光スカート部５、１１−１および１１−２をフレーム部４上に設けているが、本考案はこれに限られるものではなく、図示しない制御回路を搭載し、この制御回路にあらかじめプログラミングしたタイミングで右照明３−１および左照明３−２を点灯／消灯させるようにしてもよい。
【００３１】
右照明スイッチ１１−１および左照明スイッチ１１−２の両方をＯＮした状態で、左右照明スイッチ１０をＯＮすると、右照明３−１および左照明３−２の両方が点灯する。左右照明スイッチ１０をＯＮした状態では、右照明スイッチ１１−１および左照明スイッチ１１−２のそれぞれで、右照明３−１および左照明３−２を選択して点灯することができる。
【００３２】
また、本考案では、使用者が装着した眼精疲労回復装置１００内に、バルブ７を通して例えば空気を圧入した際に、眼精疲労回復装置１００が使用者の顔面から外れないように固定、また、反力となる適当な強度を持たせたストラップ８の固定と長さ調節するアジャストレバー９をフレーム部４に配置している。
【００３３】
次に、本実施の形態の眼精疲労回復装置１００を使用した、眼の疲労回復訓練の方法を説明する。
【００３４】
使用者が、眼精疲労回復装置１００を装着する際には、ストラップ８の長さをアジャストレバー９で調節しスカート５を顔面に密着させる。
【００３５】
眼精疲労回復装置１００内の右照明３−１と左照明３−２の照明を点灯すると、その明るさに使用者の瞳孔括約筋が反応して瞳孔が収縮する。またこのとき、眼精疲労回復装置１００内が明るくなったことにより、使用者は、遮眼部１の内面の鏡面処理した部分に写る自分自身（例えば自分の眼）の外界像を見ることになる。すなわち、鏡で反射した自分自身を見るということは、自分の顔面と鏡面との距離の２倍の距離のものを見ることになり、自分の顔面と鏡面との距離を７．５ｃｍ程度にしておけば、人間の眼で焦点が合う最短距離である１５ｃｍ程度に離れたものを見ることになる。これにより、使用者は、１５ｃｍ程度離れたものを見るように至近距離に焦点を合わせるために毛様体筋が収縮し水晶体が厚くなる。遮眼部１を鏡にすることで眼と外界像までの距離を半分にでき遮光スカート部５の奥行きが半分になり、従って装置の厚さを薄くできるメリットがある。
【００３６】
なお、明るさで瞳孔を収縮する瞳孔括約筋と近くのものを見るため収縮する毛様体筋は副交感神経である動眼神経の同一支配で両筋の収縮は自然摂理に沿った運動となる。
【００３７】
次に、右照明３−１および左照明３−２の両方を消灯すると、暗闇状態を眼前に作ることができる。暗闇では使用者の瞳孔散大筋が働き瞳孔が開き暗順応する。またこのとき、使用者は、遮眼部１のほぼ中央のピンホール２を通して遠方を見ることになる。遠方を見ると、使用者の交感神経が優位となり副交感神経支配の毛様体筋が緩み水晶体が薄くなる。瞳孔散大筋は交感神経により収縮するため、この動きも自然摂理に沿った運動となる。
【００３８】
ところで、日常生活では自分自身の瞳孔が散大することを認識できないが、瞳孔散大筋が正常であれば左右の照明３−１および３−２をスイッチ１０で切って消したときピンホール２の大きさが瞳孔拡大に伴い徐々に大きくなるように見える。これによって、本実施の形態の眼精疲労回復装置１００を用いれば自分自身の瞳孔の拡大が認識できる。
【００３９】
また、眼精疲労回復装置１００内の右照明３−１と左照明３−２のどちらか片方を右照明スイッチ１１−１または左照明スイッチ１１−２を切って消灯した状態で、反対側の左照明スイッチ１１−２または右照明スイッチ１１−１を入／切を繰り返し照明の点灯と消灯を繰返すと、自律神経反射の対光反射により消灯している方の瞳孔も縮瞳と散瞳を生じる。眼精疲労回復装置１００では使用者自身で消灯している方の瞳孔の縮瞳と散瞳を認識でき対光反射を確認できる。なお、片側の照明を消灯して反対側の照明を点灯したとき点灯側から消灯側に光が漏れないよう通気孔つき鼻梁部仕切り６を設けておく。
【００４０】
ところで、人間の水晶体、虹彩、角膜など前眼部組織の栄養補給や老廃物の排除は、毛様体筋より分泌される眼房水により行われている。眼精疲労回復装置１００によれば、両眼前に遠近の視野空間を見ることで毛様体筋の収縮と弛緩を繰返すため眼房水の産生が促されることが期待できる。
【００４１】
眼精疲労回復装置１００に取付けられたバルブ７を開けバルブ７外側の外管接続部７−１に市販の酸素エアチャージャー（高濃度酸素空気発生器）を接続することで高濃度酸素空気を加圧して眼精疲労回復装置１００内に送ることができる。角膜は人体で唯一外気から酸素を直接吸収する組織であり、加圧した高濃度酸素空気を供給することで角膜に酸素を平常時以上に補給させ、角膜を活性化することが期待できる。
【００４２】
また、眼精疲労回復装置１００によれば、バルブ７を閉め外部との気体の移動を遮断しゴーグルの遮光スカート部の反発力を利用してゴーグル内を減圧することで角膜のひずみの矯正を期待できる。なお、鼻梁部仕切り６の通気孔６−１を介して眼精疲労回復装置１００内の左右空間の圧は均等に保たれる。
【００４３】
本考案は、眼精疲労の原因となる眼に入る光を調整する瞳孔と焦点を調節する毛様体筋の緊張を、装置により眼前に極端な明暗と遠近の外界像を繰返し作り出すことで、眼の瞳孔と焦点を動かす筋を積極的に最大限動かし活性化し眼精疲労を取ることを可能とする。
【００４４】
本考案は、遮光性のある眼精疲労回復装置１００内には、中央にピンホールがある鏡と照明を配置し、照明点灯時は明るい中で鏡に写る使用者自身の眼を至近で見ることで、副交感神経の動眼神経支配の毛様体筋が収縮し毛様体が緩むことで水晶体がその弾性によりふくらみを回復し厚さが厚くなる。一方、消灯し遠方を見ると交感神経が優位になり副交感神経支配の毛様体筋が弛緩、毛様体が引っ張られ水晶体の厚さが薄くなる。照明の点滅を繰返すことで毛様体筋を最大限に収縮と弛緩を繰り返させることで緊張を取ることができる。
【００４５】
本考案は長時間の視覚表示端末(ＶＤＴ)作業などによる強制接近注視作業で生じる眼が持っている調整機能の低下、即ち、瞳孔を開閉す瞳孔活躍筋と瞳孔散大筋の疲労を、眼精疲労回復装置１００内の照明の点滅により明暗を瞬間に切り換えることで、疲労し硬化したこれらの筋を繰返し収縮と弛緩することで活性化し眼精疲労を回復することができる。
【００４６】
人間の瞳孔は周りの環境が暗いと交感神経支配の瞳孔散大筋が緊張し瞳孔を拡大し、明るいと副交感神経の動眼神経により瞳孔括約筋の緊張で瞳孔を縮小させ眼球内に入る光量を調整する。これら筋の疲労は、長時間に同一の光量下で外界像を見ることで筋の持続的緊張により生じる。瞳孔散大筋と瞳孔括約筋両筋の疲労を取るには眼前に極端な明暗を作ることで、筋を収縮と弛緩させこれを繰返すことで活性化させればよい。
【００４７】
遮光材でできた眼精疲労回復装置１００を顔面に装着し眼を覆うことで照明下でも開眼した状態で瞳孔を散大させることができる。本考案は、眼精疲労回復装置１００内にＶＤＴ作業時以上の光量のある眼精疲労回復装置１００内の照明を点灯・消灯を繰返えすことで、眼前に極端な明暗を作りだし日常生活内で動く瞳孔の範囲以上で縮瞳・散大させる。瞳孔散大筋と瞳孔括約筋、両筋の反復運動することで筋の疲労を積極的に回復させる。
【００４８】
一方、焦点は、副交感神経の動眼神経が支配する毛様体筋の収縮と弛緩により水晶体の厚さを調節することにより合わせる。近の物を見るためには毛様体筋が収縮し水晶体への引張りが開放し水晶体の厚さが復元し厚くなり焦点を合わせる。遠くを見ると交感神経が優位となり毛様体筋は弛緩し、水晶体が引っ張られ水晶体が薄くなる。長時間の視覚表示端末(ＶＤＴ)作業などによる強制接近注視作業により毛様体筋が緊張疲労する水晶体の厚さを変えられず焦点を合わすことがスムーズにできなくなりピンボケの霞目状態になる。
【００４９】
疲労した毛様体筋を動かすには遠近を交互に見ればよい。本考案では、眼精疲労回復装置１００を顔面に装着すると、照明の点灯時には眼前にある鏡で使用者自身の近被写体である眼とその周辺を見ることで動眼神経支配の毛様体筋が緊張する。消灯時にはピンホールから遠方を見ることで交感神経が優位となり副交感神経支配の毛様体筋が弛緩する。
本眼精疲労回復装置１００の使用者の置かれている周囲環境の明暗にかかわらず眼精疲労回復装置１００を装着し眼精疲労回復装置１００内の照明の点滅により瞬時に眼前に明暗と遠近の外界像を作りだすことで、縮散瞳で瞳孔散大筋と瞳孔括約筋、焦点を遠近に切り換えることで毛様体筋が弛緩から収縮と収縮から弛緩し、これを繰り返し刺激することで視力を調整する筋を活性化し疲労を回復させる。
【符号の説明】
【００５０】
１  遮眼部
２  ピンホール
３−１  右照明
３−２  左照明
４  フレーム部
５  遮光スカート部
６  鼻梁部仕切り
６−１  通気孔
７  バルブ
７−１  外管接続部
８  ストラップ
９  アジャストレバー
１０  左右照明スイッチ
１１−１  右照明スイッチ
１１−２  左照明スイッチ
１２  バッテリ
１００  眼精疲労回復装置
【図１】
0003168760.tif 000003
【図２】
0003168760.tif 000004
【図３】
0003168760.tif 000005
【図４】
0003168760.tif 000006
【手続補正書】
【提出日】平成23年4月26日(2011.4.26)
【手続補正１】
【補正対象書類名】実用新案登録請求の範囲
【補正対象項目名】全文
【補正方法】変更
【補正の内容】
【実用新案登録請求の範囲】
【請求項１】
使用者の眼前の空間を覆うゴーグル形状であって、
前記ゴーグルに設けられ、使用者の顔に密着して眼前の空間を遮光する遮光部と、
前記ゴーグルの内部に設けられ、前記遮光部により遮光された空間を照明する照明部と、
前記照明部に接続されて照明の点灯／消灯を行うスイッチと、
前記使用者の視界前方に設けられ、遮光空間内に外部の光が入射可能なピンホールと、
前記ゴーグル内で、使用者の視界前方に設けられ少なくとも使用者自身の眼を写す鏡面部と、
を備えたことを特徴とする眼精疲労回復装置。
【請求項２】
前記遮光空間に気体を注入可能なバルブを前記ゴーグルにさらに設けたことを特徴とする請求項１に記載の眼精疲労回復装置。
【請求項３】
前記遮光空間を使用者の両眼のそれぞれの領域に区切って遮光する仕切り部材を前記空間内にさらに設けたことを特徴とする請求項１または２に記載の眼精疲労回復装置。
【請求項４】
前記仕切り部材が、区切った両領域の間の通気を確保する通気孔を有することを特徴とする請求項３に記載の眼精疲労回復装置。
【請求項５】
使用者の顔面に装着する際に固定するストラップ、および前記ストラップの固定と長さ調節を行うアジャストレバーを前記ゴーグルの両側にさらに設けたことを特徴とする請求項１ないし４のうちのいずれか１項に記載の眼精疲労回復装置。